(57)【要約】【課題】下段の樋曲がり継手本体と上段の化粧部品とを隙間があくように嵌着して取付けることで、雨だれによるライン状の汚れ防止、上段の化粧部品の着脱が簡単で、省施工、省部材をすることのできる樋曲がり継手を提供する。【解決手段】下段の樋曲がり継手本体１の内周面２に突出して形成した嵌合溝３に、上段の化粧部品４の弾力性を有するフック状の突出部５を嵌着して形成し、この上段の化粧部品４の表面化粧面６が、樋曲がり継手本体１の表面の上端縁近傍の連続面に隙間７が開くように内方に屈成したストッパー部８と該ストッパー部８より垂下する突出部本体９を形成し、該突出部本体９が樋曲がり継手本体１の嵌合溝３より下方に突出するように形成するとともに該突出部本体９の下端が嵌合溝３の下部１０に弾着係止する係止部１１を形成して、下段の樋曲がり継手本体１と上段の化粧部品４とを嵌着して形成する。【選択図】　　　　図１
2004137704.tif 000002
【特許請求の範囲】
【請求項１】
下段の樋曲がり継手本体の内周面に突出して形成した嵌合溝に上段の化粧部品の弾力性を有するフック状の突出部を嵌着して形成する樋曲がり継手において、上段の化粧部品の表面化粧面が、樋曲がり継手本体の表面の上端縁近傍の連続面状に隙間が開くように内方に屈成したストッパー部と該ストッパー部より垂下する突出部本体を形成し、該突出部本体が樋曲がり継手本体の嵌合溝より下方に突出するように形成するとともに該突出部本体の下端が嵌合溝の下部に弾着係止する係止部を形成するようにして、下段の樋曲がり継手本体の嵌合溝と上段の化粧部品の突出部とを嵌着して成る樋曲がり継手。
【請求項２】
上記下段の樋曲がり継手本体の内周面に突出して形成した嵌合溝が、少なくともコーナー部に設けらていることを特徴とする請求項１記載の樋曲がり継手。
【請求項３】
上記上段の化粧部品の弾力性を有するフック状の突出部の下端の係止部が、ドライバー等で押圧して樋曲がり継手本体の嵌合溝から外れるように押圧面を形成することを特徴とする請求項１又は請求項２記載の樋曲がり継手。
【請求項４】
上記上段の化粧部品の弾力性を有するフック状の突出部が一体成形して形成することを特徴とする請求項１乃至請求項３のいずれかに記載された樋曲がり継手。
【請求項５】
上記上段の化粧部品及び下段の樋曲がり継手本体が合成樹脂製であることを特徴とする請求項１乃至請求項４のいずれかに記載された樋曲がり継手。
【発明の詳細な説明】
【０００１】
【発明の属する技術分野】
本発明は、軒樋同士を屋根面のコーナー部で接合する樋曲がり継手の形状に関するものである。
【０００２】
【従来の技術】
従来から軒樋同士を屋根面のコーナー部で接合する樋曲がり継手は、知られている。そして、前面板と後面板を一連に繋ぐ底面板、および前面板の上端部から内方へ向かい傾斜して立ち上がる化粧板から構成された化粧軒樋同士の間を繋ぐ化粧軒樋の曲がり継手であって、後面板、前面板及び底面板の外面に沿った形状の前面カバーとに分割され、この曲がり継手本体の前側上端部と前面カバーとの下端縁とが結合された化粧軒樋の曲がり継手がある。
（例えば、特許文献１参照）
【０００３】
【特許文献１】
特開平８−２７０１６１号公報（第１−２頁、図１、図２、図３）
【０００４】
このような、化粧軒樋の曲がり継手では、曲がり継手本体のフランジ部に前面カバーの補強リブが載置するようにしているので、曲がり継手本体と前面カバーの境界面において、雨だれによるライン状の汚れが生じ、曲がり継手の化粧面が見にくくなるという問題があった。また、前面カバーを接着により固定すると着脱不能となるので、繰り返し調整できるにするは、嵌着によりドライバー等で取付け取外しを簡単にして、着脱できるような構造にすれば、省施工、省部材となるという問題があった。
【０００５】
【発明が解決しようとする課題】
本発明は上記問題点の解決を目的とするものであり、下段の樋曲がり継手本体と上段の化粧部品とを隙間が開くように嵌着して取付けることで、雨だれによるライン状の汚れ防止、上段の化粧部品の着脱が簡単にできるようになり、省施工、省部材をすることのできる樋曲がり継手を提供するものである。
【０００６】
【課題を解決するための手段】
本発明の請求項１記載の樋曲がり継手は、下段の樋曲がり継手本体の内周面に突出して形成した嵌合溝に上段の化粧部品の弾力性を有するフック状の突出部を嵌着して形成する樋曲がり継手において、上段の化粧部品の表面化粧面が、樋曲がり継手本体の表面の上端縁近傍の連続面状に隙間が開くように内方に屈成したストッパー部と該ストッパー部より垂下する突出部本体を形成し、該突出部本体が樋曲がり継手本体の嵌合溝より下方に突出するように形成するとともに該突出部本体の下端が嵌合溝の下部に弾着係止する係止部を形成するようにして、下段の樋曲がり継手本体の嵌合溝と上段の化粧部品の突出部とを嵌着して成るものである。
【０００７】
したがって、下段の樋曲がり継手本体と上段の化粧部品とを隙間が開くように嵌着して取付けることで、雨だれによるライン状の汚れ防止、上段の化粧部品の着脱が簡単にできるようになり、省施工、省部材をすることのできるものである。
【０００８】
本発明の請求項２記載の樋曲がり継手は、請求項１記載の下段の樋曲がり継手本体の内周面に突出して形成した嵌合溝が、少なくともコーナー部に設けらること特徴とするものである。
【０００９】
したがって、嵌合溝が突出して形成されているので、上段の化粧部品を嵌挿しやすく、しかも少なくともコーナー部に形成することで、樋曲がり継手本体の曲げ強度も強くなる。
【００１０】
本発明の請求項３記載の樋曲がり継手は、請求項１又は請求項２記載の上段の化粧部品の弾力性を有するフック状の突出部の下端の係止部が、ドライバー等で押圧して樋曲がり継手本体の嵌合溝から外れるように押圧面を形成することを特徴とするものである。
【００１１】
したがって、上段の化粧部品の弾力性を有するフック状の突出部の下端の係止部に押圧面を形成しているので、ドライバー等の押圧力で樋曲がり継手本体の嵌合溝から突出部の下端の係止部を外すことが簡単にできる。
【００１２】
本発明の請求項４記載の樋曲がり継手は、請求項１乃至請求項３のいずれかに記載された上段の化粧部品の弾力性を有するフック状の突出部が一体成形して形成することを特徴とするものである。
【００１３】
したがって、フック状の突出部が一体成形されるので、部品点数が少なくなり、成形が簡単であるとともに突出部の強度が向上する。
【００１４】
本発明の請求項５記載の樋曲がり継手は、請求項１乃至請求項４のいずれかに記載された上段の化粧部品及び下段の樋曲がり継手本体が合成樹脂製であることを特徴とするものである。
【００１５】
したがって、樋曲がり継手本体や化粧部品を射出成形で簡単に成形可能となり、種々の形状の樋曲がり継手を製作できる。
【００１６】
【発明の実施の形態】
図１乃至図５に示したように、本発明の実施形態に係わる樋曲がり継手であって、以下に説明する。
【００１７】
本発明の樋曲がり継手Ａは、下段の樋曲がり継手本体１の内周面２に突出して形成した嵌合溝３に、上段の化粧部品４の弾力性を有するフック状の突出部５を嵌着して形成するものである。このとき、上段の化粧部品４の表面化粧面６が、樋曲がり継手本体１の表面の上端縁近傍の連続面に隙間７が開くように内方に屈成したストッパー部８とこのストッパー部８より垂下する突出部本体９を形成し、この突出部本体９が樋曲がり継手本体１の嵌合溝３より下方に突出するように形成するとともにこの突出部本体９の下端が嵌合溝３の下部１０に弾着係止する係止部１１を形成するようにして、下段の樋曲がり継手本体１と上段の化粧部品４とを嵌着して形成するものである。
【００１８】
このとき、下段の樋曲がり継手本体１と上段の化粧部品４とを隙間７が開くように嵌着されるので、雨だれによるライン状の汚れがつきにくくなる。又、上段の化粧部品４の着脱が簡単にできるようになり、樋曲がり継手Ａが簡単に屋根軒先のコーナー部に取り付けられ省施工が可能となり、上段の化粧部品４を種々の高さ形状のものを用意することで省部材とすることのできるものである。
【００１９】
さらに、上記上段の化粧部品４の弾力性を有するフック状の突出部５の下端の係止部１１が、ドライバー等１２で押圧して樋曲がり継手本体１の嵌合溝３から外れるように押圧面１３が形成されて、上段の化粧部品４を下段の樋曲がり継手本体１の嵌合溝３より外しやくしている。
【００２０】
又、上段の化粧部品４の弾力性を有するフック状の突出部５が射出成形で一体成形されるので、フック状の突出部５を別成形する必要もなくなり、部品点数が少なくなり、成形が簡単である。このように一体成形により、突出部５の強度が向上する。
【００２１】
以下、本発明の一実施例に係わる樋曲がり継手Ａについて、図１〜図５に基づいて詳述する。
【００２２】
図１において、樋曲がり継手Ａは、下段の樋曲がり継手本体１の内周面２に突出して形成した嵌合溝３に、上段の化粧部品４の弾力性を有するフック状の突出部５を嵌着して形成するものである。これらの上段の化粧部品４及び下段の樋曲がり継手本体１は、塩化ビニール樹脂、アクリル樹脂、ポリカーボネート樹脂等の合成樹脂製で射出成形で成形される。
【００２３】
この下段の樋曲がり継手本体１は、略前高に形成した軒樋Ｂの側端面が両側端から嵌合されるような形状に９０度に形成されたものであって、この樋曲がり継手本体１の内周面２に突出して形成した縦断面略Ｕ字状に形成された嵌合溝３が設けられている。この嵌合溝３の低部は開口された状態に形成されている。そして、この嵌合溝３は、少なくともコーナー部１４に設けられれば良いものであるが、図１のようにコーナー部１４と相対向する内周面２の上端部に設ければ良いものである。尚、嵌合溝３の内方に向けて上段の化粧部品４の突出部５をスライド誘導する誘導片１５が形成されている。
【００２４】
上段の化粧部品４は、下段の樋曲がり継手本体１の外形と横寸法が同一になるように形成され、高さ寸法は所望の形状に形成されるものであるが、樋曲がり継手本体１と化粧部品４との外表面が略同一の曲率で形成すれば良いものである。この上段の化粧部品４の表面化粧面６が、樋曲がり継手本体１の表面の上端縁近傍の連続面に隙間７が開くように内方に屈成したストッパー部８を設け、このストッパー部８より垂下する弾力性を有するフック状の突出部本体９が形成され、この突出部本体９が樋曲がり継手本体１の嵌合溝３より下方に突出するようにし長く形成された突出部５が形成されている。そして、この突出部５の下端には、樋曲がり継手本体１の嵌合溝３の下部１０に弾着係止するように係止部１１が形成されている。
【００２５】
そして、図２に示したように、上記下段の樋曲がり継手本体１と上段の化粧部品４とを嵌着して樋曲がり継手Ａを形成するには、下段の樋曲がり継手本体１の嵌合溝３に上段の化粧部品４の突出部５を上方から落とし込むようにし、この突出部５の弾力性を利用して嵌着させる。このとき、上段の化粧部品４は、ストッパー部８の当接位置により所望の隙間７を有することとなる。
【００２６】
又、図３に示したように、上段の化粧部品４の表面に雨が降ったとしてもこの下段の樋曲がり継手本体１と上段の化粧部品４の隙間７から内方へ雨水が入り込むようになる。したがって、雨水は下段の樋曲がり継手本体１の表面に流れにくくなるので、雨だれによるライン状の汚れがつきにくくなる。又、上段の化粧部品４の突出部５の弾力性により着脱が簡便であるとともに上段の化粧部品４を種々の高さ形状のものを用意することで省部材とすることのできるものである。
【００２７】
図４（ａ）、（ｂ）に示したように、上段の化粧部品４を外す際には、フック状の突出部５の下端の押圧面１３を内側からドライバー等１２で押圧すると、押圧力によって突出部５が屈成することにより、突出部５の下端の係止部１１が外れて上方に上段の化粧部品４を引き抜くことで、樋曲がり継手本体１の嵌合溝３から外すことができる。
【００２８】
図５は、上段の化粧部品４の突出部５の下端の係止部１１の押圧面１３にドライバー等１２の先端が押圧時に滑らないように溝部１６を設けたものである。要するに、ドライバー等１２の先端が押圧時に滑らないように溝部１６を設ければ良いもので、横溝を設けても良い。
【００２９】
【発明の効果】
上述の如く、本発明の請求項１記載の樋曲がり継手は、下段の樋曲がり継手本体の内周面に突出して形成した嵌合溝に上段の化粧部品の弾力性を有するフック状の突出部を嵌着して形成する樋曲がり継手において、上段の化粧部品の表面化粧面が、樋曲がり継手本体の表面の上端縁近傍の連続面状に隙間が開くように内方に屈成したストッパー部とこのストッパー部より垂下する突出部本体を形成し、この突出部本体が樋曲がり継手本体の嵌合溝より下方に突出するように形成するとともにこの突出部本体の下端が嵌合溝の下部に弾着係止する係止部を形成するようにして、下段の樋曲がり継手本体の嵌合溝と上段の化粧部品の突出部とを嵌着して成るから、下段の樋曲がり継手本体と上段の化粧部品とを隙間があくように嵌着して取付けることで、雨だれによるライン状の汚れ防止、上段の化粧部品の着脱が簡単にできるようになり、省施工、省部材をすることのできるものである。
【００３０】
本発明の請求項２記載の樋曲がり継手は、下段の樋曲がり継手本体の内周面に突出して形成した嵌合溝が、少なくともコーナー部に設けらているので、嵌合溝が突出して形成され、上段の化粧部品を嵌挿しやすく、樋曲がり継手本体の曲げ強度も強くなる。
【００３１】
本発明の請求項３記載の樋曲がり継手は、上段の化粧部品の弾力性を有するフック状の突出部の下端の係止部が、ドライバー等で押圧して樋曲がり継手本体の嵌合溝から外れるように押圧面を形成しているので、ドライバー等の押圧力で樋曲がり継手本体の嵌合溝から突出部の下端の係止部を外すことが簡単にできる
【００３２】
本発明の請求項４記載の樋曲がり継手は、上段の化粧部品の弾力性を有するフック状の突出部が一体成形して形成されているので、部品点数が少なくなり、成形が簡単であるとともに突出部の強度が向上する。
【００３３】
本発明の請求項５記載の樋曲がり継手は、上段の化粧部品及び下段の樋曲がり継手本体が合成樹脂製であるので、樋曲がり継手本体や化粧部品を射出成形で簡単に成形可能となり、種々の形状の樋曲がり継手を製作できる。
【図面の簡単な説明】
【図１】本発明の一実施例に係わる下段の樋曲がり継手本体と上段の化粧部品とを嵌着する樋曲がり継手、樋曲がり継手と軒樋との嵌合関係を示す斜視図である。
【図２】本発明の一実施例に係わる下段の樋曲がり継手本体と上段の化粧部品との嵌合状態を示す縦断面図である。
【図３】本発明の一実施例に係わる下段の樋曲がり継手本体と上段の化粧部品との表面側の雨水の状態を示す縦断面図である。
【図４】（ａ）は本発明の一実施例に係わる上段の化粧部品をドライバーで押圧する状態を示すもので、（ｂ）は押圧して突出部が弾性変形した状態を示す縦断面図である。
【図５】本発明の異なる実施例に係わる上段の化粧部品をドライバーで押圧する状態を示す斜視図である。
【符号の説明】
Ａ　　　樋曲がり継手
Ｂ　　　軒樋
１　　　下段の樋曲がり継手本体
２　　　内周面
３　　　嵌合溝
４　　　上段の化粧部品
５　　　突出部
６　　　化粧面
７　　　隙間
８　　　ストッパー部
９　　　突出部本体
１０　　下部
１１　　係止部
１２　　ドライバー
１３　　押圧面
１４　　コーナー部
１５　　誘導片
１６　　溝部
【図１】
2004137704.tif 000003
【図２】
2004137704.tif 000004
【図３】
2004137704.tif 000005
【図４】
2004137704.tif 000006
【図５】
2004137704.tif 000007